【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
複数の機能を実現可能な画像形成装置であって、
前記画像形成装置に実行させる機能を設定するための操作ボタンが設けられた第１の操作画面を表示する表示手段と、
前記複数の機能のうちの任意の機能である第１の機能を設定するための操作ボタンが設けられ、且つ前記第１の操作画面より下位層の第２の操作画面を前記表示手段に表示させるための、前記第１の操作画面からの一連の操作をショートカットするためのショートカットボタンである登録機能ショートカットボタンを、前記第１の操作画面に表示させる登録機能ショートカット表示手段と、
前記画像形成装置で現在設定されている機能である第２の機能を設定するための操作ボタンが設けられ、且つ前記第１の操作画面より下位層の第３の操作画面を前記表示手段に表示させるための、前記第１の操作画面からの一連の操作をショートカットするためのショートカットボタンである設定機能ショートカットボタンを前記第１の操作画面に表示させる設定機能ショートカット表示手段と、
前記設定機能ショートカット表示手段により前記表示手段へ表示される前記設定機能ショートカットボタンを、前記登録機能ショートカット表示手段により前記表示手段へ表示される前記登録機能ショートカットボタンとは異なる形態で、前記第１の操作画面に表示させるように前記表示手段を制御する表示制御手段と、を有することを特徴とする画像形成装置。
【請求項２】
前記表示制御手段は、前記第１の操作画面上に表示された前記登録機能ショートカットボタンが操作されることにより操作信号が入力されたら、前記第１の操作画面と前記第２の操作画面との間の階層に対応する操作画面を表示せずに、前記第１の操作画面から前記第２の操作画面に切り替えるように前記表示手段を制御し、前記第１の操作画面上に表示された前記設定機能ショートカットボタンが操作されることにより操作信号が入力されたら、前記第１の操作画面と前記第３の操作画面との間の階層に対応する操作画面を表示せずに、前記第１の操作画面から前記第３の操作画面へ切り替えるように前記表示手段を制御することを特徴とする請求項１に記載の画像形成装置。
【請求項３】
前記表示制御手段は、前記登録機能ショートカットボタンよりも前記設定機能ショートカットボタンを前記第１の操作画面上で上位の位置に表示させることを特徴とする請求項１又は２に記載の画像形成装置。
【請求項４】
前記表示制御手段は、前記登録機能ショートカットボタンよりも前記設定機能ショートカットボタンを前記第１の操作画面上の上方に表示させることを特徴とする請求項３に記載の画像形成装置。
【請求項５】
複数の機能を実現可能な画像形成装置であって、
前記画像形成装置に実行させる機能を設定するための操作ボタンが設けられた第１の操作画面を表示する表示手段と、
前記複数の機能のうちの１つの設定のために操作ボタンが設けられ、且つ前記第１の操作画面よりも下位層の操作画面を前記表示手段に表示させるための、第１の操作画面からの一連の操作をショートカットするためのショーカットボタンを前記第１の操作画面に表示させるショートカット表示手段と、
前記ショートカット表示手段により表示される複数のショートカットボタンの前記第１の操作画面上での表示の優先順位を記憶する記憶手段と、
前記記憶手段に記憶された優先順位に基づき、前記複数のショートカットボタンが前記第１の操作画面に表示されるように、前記表示手段を制御する表示制御手段と、を有することを特徴とする画像形成装置。
【請求項６】
前記表示制御手段は、前記優先順位に基づき、前記第１の操作画面上の上位位置から優先順位順に前記複数のショートカットボタンを表示させることを特徴とする請求項５に記載の画像形成装置。
【請求項７】
前記表示制御手段は、前記優先順位に基づき、前記第１の操作画面上の上方から優先順位順に前記複数のショートカットボタンを表示させることを特徴とする請求項６に記載の画像形成装置。
【請求項８】
複数の機能を実現可能な画像形成装置であって、
前記複数の機能の各々が属する、機能の種類に応じて分別されたグループを記憶する記憶手段と、
画像形成装置に実行させる機能を設定するための操作ボタンが設けられた第１の操作画面を表示する表示手段と、
前記複数の機能のうちの１つの機能の設定のための操作ボタンが設けられ、且つ前記第１の操作画面よりも下位層の操作画面を前記表示手段に表示させるための、前記第１の操作画面からの一連の操作をショートカットするためのショートカットボタンを前記第１の操作画面に表示させるショートカット表示手段と、
前記ショートカット表示手段により表示される複数のショートカットボタンを、前記記憶手段に記憶された前記複数の機能の各々が属するグループごとに表示領域を分けて前記第１の操作画面に表示するように、前記表示手段を制御する表示制御手段と、を有することを特徴とする画像形成装置。
【請求項９】
前記表示制御手段は、前記第１の操作画面上に表示された前記ショートカットボタンが操作されることにより操作信号が入力されたら、第１の操作画面と前記ショートカットボタンに対応する機能を設定するための操作画面との間の階層に対応する操作画面を表示せずに、前記第１の操作画面から前記ショートカットボタンに対応する機能を設定するための操作画面へ切り替えるように前記表示手段を制御することを特徴とする請求項５から８の何れか一項に記載の画像形成装置。
【請求項１０】
複数の機能を実現可能とし、該複数の機能を設定するための操作画面を表示する表示装置を備える画像形成装置の表示制御方法であって、
前記画像形成装置に実行させる機能を設定するための操作ボタンを含む第１の操作画面を前記表示装置に表示する表示ステップと、
前記複数の機能のうちの任意の機能である第１の機能を設定するための操作ボタンが設けられ、且つ前記第１の操作画面より下位層の第２の操作画面を前記表示装置に表示させるための、前記第１の操作画面からの一連の操作をショートカットするためのショートカットボタンである登録機能ショートカットボタンを、前記第１の操作画面に表示させる登録機能ショートカット表示ステップと、
前記画像形成装置で現在設定されている機能である第２の機能を設定するための操作ボタンが設けられ、且つ前記第１の操作画面より下位層の第３の操作画面を前記表示装置に表示させるための、前記第１の操作画面からの一連の操作をショートカットするためのショートカットボタンである設定機能ショートカットボタンを前記第１の操作画面に表示させる設定機能ショートカット表示ステップと、
前記設定機能ショートカット表示ステップで、前記表示手段へ表示される前記設定機能ショートカットボタンを、前記登録機能ショートカット表示ステップにより前記表示装置へ表示される前記登録機能ショートカットボタンとは異なる形態で、前記第１の操作画面に表示させるように前記表示手段を制御する表示制御ステップと、を含むことを特徴とする画像形成装置の表示制御方法。
【請求項１１】
前記表示制御ステップで、前記第１の操作画面上に表示された前記登録機能ショートカットボタンが操作されることにより操作信号が入力されたら、前記第１の操作画面と前記
第２の操作画面との間の階層に対応する操作画面を表示せずに、前記第１の操作画面から前記第２の操作画面に切り替えるように前記表示装置を制御し、前記第１の操作画面上に表示された前記設定機能ショートカットボタンが操作されることにより操作信号が入力されたら、前記第１の操作画面と前記第３の操作画面との間の階層に対応する操作画面を表示せずに、前記第１の操作画面から前記第３の操作画面へ切り替えるように前記表示装置を制御することを特徴とする請求項１０に記載の画像形成装置の表示制御方法。
【請求項１２】
前記表示制御ステップで、前記登録機能ショートカットボタンよりも前記設定機能ショートカットボタンを前記第１の操作画面上で上位の位置に表示することを特徴とする請求項１０又は１１に記載の画像形成装置の表示制御方法。
【請求項１３】
前記表示制御ステップで、前記登録機能ショートカットボタンよりも前記設定機能ショートカットボタンを前記第１の操作画面上の上方に表示させることを特徴とする請求項１２に記載の画像形成装置の表示制御方法。
【請求項１４】
複数の機能を実現可能とし、該複数の機能を設定するための操作画面を表示する表示装置を備える画像形成装置の表示制御方法であって、
前記画像形成装置に実行させる機能を設定するための操作ボタンが設けられた第１の操作画面を表示する表示ステップと、
前記複数の機能のうちの１つの設定のために操作ボタンが設けられ、且つ前記第１の操作画面よりも下位層の操作画面を前記表示手段に表示させるための、第１の操作画面からの一連の操作をショートカットするためのショーカットボタンを前記第１の操作画面に表示させるショートカット表示ステップと、
前記ショートカット表示ステップで表示される複数のショートカットボタンの前記第１の操作画面上での表示の優先順位を記憶する記憶ステップと、
前記記憶ステップで記憶された優先順位に基づき、前記複数のショートカットボタンが前記第１の操作画面に表示されるように、前記表示装置を制御する表示制御ステップと、を含むことを特徴とする画像形成装置の表示制御方法。
【請求項１５】
前記表示制御ステップで、前記優先順位に基づき、前記第１の操作画面上の上位位置から優先順位順に前記複数のショートカットボタンを表示することを特徴とする請求項１４に記載の画像形成装置の表示制御方法。
【請求項１６】
前記表示制御ステップで、前記優先順位に基づき、前記第１の操作画面上の上方から優先順位順に前記複数のショートカットボタンを表示することを特徴とする請求項１５に記載の画像形成装置の表示制御方法。
【請求項１７】
複数の機能を実現可能とし、該複数の機能を設定するための操作画面を表示する表示装置を備える画像形成装置の表示制御方法であって、
前記複数の機能の各々が属する、機能の種類に応じて分別されたグループを記憶する記憶ステップと、
画像形成装置に実行させる機能を設定するための操作ボタンが設けられた第１の操作画面を前記表示装置に表示する表示ステップと、
前記複数の機能のうちの１つの機能の設定のための操作ボタンが設けられ、且つ前記第１の操作画面よりも下位層の操作画面を前記表示手段に表示させるための、前記第１の操作画面からの一連の操作をショートカットするためのショートカットボタンを前記第１の操作画面に表示させるショートカット表示ステップと、
前記ショートカット表示ステップで表示される複数のショートカットボタンを、前記記憶ステップで記憶された前記複数の機能の各々が属するグループごとに表示領域を分けて前記第１の操作画面に表示するように、前記表示装置を制御する表示制御ステップと、
を含むことを特徴とする画像形成装置の表示制御方法。
【請求項１８】
前記表示制御ステップで、前記第１の操作画面上に表示された前記ショートカットボタンが操作されることにより操作信号が入力されたら、第１の操作画面と前記ショートカットボタンに対応する機能を設定するための操作画面との間の階層に対応する操作画面を表示せずに、前記第１の操作画面から前記ショートカットボタンに対応する機能を設定するための操作画面へ切り替えるように前記表示装置を制御することを特徴とする請求項１４から１７の何れか一項に記載の画像形成装置の表示制御方法。
【請求項１９】
複数の機能を実現可能とし、該複数の機能を設定するための操作画面を表示する表示装置を備える画像形成装置の表示制御を行うコンピュータに、
前記画像形成装置に実行させる機能を設定するための操作ボタンが設けられた第１の操作画面を表示する表示機能と、
前記複数の機能のうちの任意の機能である第１の機能を設定するための操作ボタンが設けられ、且つ前記第１の操作画面より下位層の第２の操作画面を前記表示装置に表示させるための、前記第１の操作画面からの一連の操作をショートカットするためのショートカットボタンである登録機能ショートカットボタンを、前記第１の操作画面に表示させる登録機能ショートカット表示機能と、
前記画像形成装置で現在設定されている機能である第２の機能を設定するための操作ボタンが設けられ、且つ前記第１の操作画面より下位層の第３の操作画面を前記表示装置に表示させるための、前記第１の操作画面からの一連の操作をショートカットするためのショートカットボタンである設定機能ショートカットボタンを前記第１の操作画面に表示させる設定機能ショートカット表示機能と、
前記設定機能ショートカット表示機能により前記表示装置へ表示される前記設定機能ショートカットボタンを、前記登録機能ショートカット表示機能により前記表示装置へ表示される前記登録機能ショートカットボタンとは異なる形態で、前記第１の操作画面に表示させるように前記表示装置を制御する表示制御機能と、を実現させることを特徴とする画像形成装置の表示制御プログラム。
【請求項２０】
前記表示制御機能で、前記第１の操作画面上に表示された前記登録機能ショートカットボタンが操作されることにより操作信号が入力されたら、前記第１の操作画面と前記第２の操作画面との間の階層に対応する操作画面を表示せずに、前記第１の操作画面から前記第２の操作画面に切り替えるように前記表示装置を制御することを実現させ、前記第１の操作画面上に表示された前記設定機能ショートカットボタンが操作されることにより操作信号が入力されたら、前記第１の操作画面と前記第３の操作画面との間の階層に対応する操作画面を表示せずに、前記第１の操作画面から前記第３の操作画面へ切り替えるように前記表示装置を制御することを実現させることを特徴とする請求項１９に記載の画像形成装置の表示制御プログラム。
【請求項２１】
前記表示制御機能で、前記登録機能ショートカットボタンよりも前記設定機能ショートカットボタンを前記第１の操作画面上で上位の位置に表示することを実現させることを特徴とする請求項１９又は２０に記載の画像形成装置の表示制御プログラム。
【請求項２２】
前記表示制御機能で、前記登録機能ショートカットボタンよりも前記設定機能ショートカットボタンを前記第１の操作画面上の上方に表示することを実現させることを特徴とする請求項２１に記載の画像形成装置の表示制御プログラム。
【請求項２３】
複数の機能を実現可能とし、該複数の機能を設定するための操作画面を表示する表示装置を備える画像形成装置の表示制御を行うコンピュータに、
前記画像形成装置に実行させる機能を設定するための操作ボタンが設けられた第１の操作画面を前記操作画面に表示する表示機能と、
前記複数の機能のうちの１つの設定のために操作ボタンが設けられ、且つ前記第１の操作画面よりも下位層の操作画面を前記表示装置に表示させるための、第１の操作画面からの一連の操作をショートカットするためのショーカットボタンを前記第１の操作画面に表示させるショートカット表示機能と、
前記ショートカット表示機能により表示される複数のショートカットボタンの前記第１の操作画面上での表示の優先順位を記憶する記憶機能と、
前記記憶機能で記憶された優先順位に基づき、前記複数のショートカットボタンが前記第１の操作画面に表示されるように、前記表示手段を制御する表示制御機能と、を実現させることを特徴とする画像形成装置の表示制御プログラム。
【請求項２４】
前記表示制御機能は、前記優先順位に基づき、前記第１の操作画面上の上位位置から優先順位順に前記複数のショートカットボタンを表示することを実現させることを特徴とする請求項２３に記載の画像形成装置の表示制御プログラム。
【請求項２５】
前記表示制御機能で、前記優先順位に基づき、前記第１の操作画面上の上方から優先順位順に前記複数のショートカットボタンを表示することを実現させることを特徴とする請求項２４に記載の画像形成装置の表示制御プログラム。
【請求項２６】
複数の機能を実現可能とし、該複数の機能を設定するための操作画面を表示する表示装置を備える画像形成装置の表示制御を行うコンピュータに、
前記複数の機能の各々が属する、機能の種類に応じて分別されたグループを記憶する記憶機能と、
画像形成装置に実行させる機能を設定するための操作ボタンが設けられた第１の操作画面を前記表示装置に表示する表示機能と、
前記複数の機能のうちの１つの機能の設定のための操作ボタンが設けられ、且つ前記第１の操作画面よりも下位層の操作画面を前記表示手段に表示させるための、前記第１の操作画面からの一連の操作をショートカットするためのショートカットボタンを前記第１の操作画面に表示させるショートカット表示機能と、
前記ショートカット表示機能により表示される複数のショートカットボタンを、前記記憶機能で記憶した前記複数の機能の各々が属するグループごとに表示領域を分けて前記第１の操作画面に表示するように、前記表示装置を制御する表示制御機能と、を実現させることを特徴とする画像形成装置の表示制御プログラム。
【請求項２７】
前記表示制御機能で、前記第１の操作画面上に表示された前記ショートカットボタンが操作されることにより操作信号が入力されたら、第１の操作画面と前記ショートカットボタンに対応する機能を設定するための操作画面との間の階層に対応する操作画面を表示せずに、前記第１の操作画面から前記ショートカットボタンに対応する機能を設定するための操作画面へ切り替えるように前記表示装置を制御することを実現させることを特徴とする請求項２３から２６の何れか一項に記載の画像形成装置の表示制御プログラム。
【手続補正２】
【補正対象書類名】明細書
【補正対象項目名】００１２
【補正方法】変更
【補正の内容】
【００１２】
上記課題を解決するために、請求項１に記載の発明は、複数の機能を実現可能な画像形成装置であって、
前記画像形成装置に実行させる機能を設定するための操作ボタンが設けられた第１の操作画面を表示する表示手段と、
前記複数の機能のうちの任意の機能である第１の機能を設定するための操作ボタンが設けられ、且つ前記第１の操作画面より下位層の第２の操作画面を前記表示手段に表示させるための、前記第１の操作画面からの一連の操作をショートカットするためのショートカットボタンである登録機能ショートカットボタンを、前記第１の操作画面に表示させる登録機能ショートカット表示手段と、
前記画像形成装置で現在設定されている機能である第２の機能を設定するための操作ボタンが設けられ、且つ前記第１の操作画面より下位層の第３の操作画面を前記表示手段に表示させるための、前記第１の操作画面からの一連の操作をショートカットするためのショートカットボタンである設定機能ショートカットボタンを前記第１の操作画面に表示させる設定機能ショートカット表示手段と、
前記設定機能ショートカット表示手段により前記表示手段へ表示される前記設定機能ショートカットボタンを、前記登録機能ショートカット表示手段により前記表示手段へ表示される前記登録機能ショートカットボタンとは異なる形態で、前記第１の操作画面に表示させるように前記表示手段を制御する表示制御手段と、を有することを特徴とする。
【手続補正３】
【補正対象書類名】明細書
【補正対象項目名】００１６
【補正方法】変更
【補正の内容】
【００１６】
請求項５に記載の発明は、複数の機能を実現可能な画像形成装置であって、
前記画像形成装置に実行させる機能を設定するための操作ボタンが設けられた第１の操作画面を表示する表示手段と、
前記複数の機能のうちの１つの設定のために操作ボタンが設けられ、且つ前記第１の操作画面よりも下位層の操作画面を前記表示手段に表示させるための、第１の操作画面からの一連の操作をショートカットするためのショーカットボタンを前記第１の操作画面に表示させるショートカット表示手段と、
前記ショートカット表示手段により表示される複数のショートカットボタンの前記第１の操作画面上での表示の優先順位を記憶する記憶手段と、
前記記憶手段に記憶された優先順位に基づき、前記複数のショートカットボタンが前記第１の操作画面に表示されるように、前記表示手段を制御する表示制御手段と、を有することを特徴とする。
【手続補正４】
【補正対象書類名】明細書
【補正対象項目名】００１９
【補正方法】変更
【補正の内容】
【００１９】
請求項８に記載の発明は、複数の機能を実現可能な画像形成装置であって、
前記複数の機能の各々が属する、機能の種類に応じて分別されたグループを記憶する記憶手段と、
画像形成装置に実行させる機能を設定するための操作ボタンが設けられた第１の操作画面を表示する表示手段と、
前記複数の機能のうちの１つの機能の設定のための操作ボタンが設けられ、且つ前記第１の操作画面よりも下位層の操作画面を前記表示手段に表示させるための、前記第１の操作画面からの一連の操作をショートカットするためのショートカットボタンを前記第１の操作画面に表示させるショートカット表示手段と、
前記ショートカット表示手段により表示される複数のショートカットボタンを、前記記憶手段に記憶された前記複数の機能の各々が属するグループごとに表示領域を分けて前記第１の操作画面に表示するように、前記表示手段を制御する表示制御手段と、を有することを特徴とする。
【手続補正５】
【補正対象書類名】明細書
【補正対象項目名】００２１
【補正方法】変更
【補正の内容】
【００２１】
請求項１０に記載の発明は、複数の機能を実現可能とし、該複数の機能を設定するための操作画面を表示する表示装置を備える画像形成装置の表示制御方法であって、
前記画像形成装置に実行させる機能を設定するための操作ボタンを含む第１の操作画面を前記表示装置に表示する表示ステップと、
前記複数の機能のうちの任意の機能である第１の機能を設定するための操作ボタンが設けられ、且つ前記第１の操作画面より下位層の第２の操作画面を前記表示装置に表示させるための、前記第１の操作画面からの一連の操作をショートカットするためのショートカットボタンである登録機能ショートカットボタンを、前記第１の操作画面に表示させる登録機能ショートカット表示ステップと、
前記画像形成装置で現在設定されている機能である第２の機能を設定するための操作ボタンが設けられ、且つ前記第１の操作画面より下位層の第３の操作画面を前記表示装置に表示させるための、前記第１の操作画面からの一連の操作をショートカットするためのショートカットボタンである設定機能ショートカットボタンを前記第１の操作画面に表示させる設定機能ショートカット表示ステップと、
前記設定機能ショートカット表示ステップで、前記表示手段へ表示される前記設定機能ショートカットボタンを、前記登録機能ショートカット表示ステップにより前記表示装置へ表示される前記登録機能ショートカットボタンとは異なる形態で、前記第１の操作画面に表示させるように前記表示手段を制御する表示制御ステップと、を含むことを特徴とする。
【手続補正６】
【補正対象書類名】明細書
【補正対象項目名】００２５
【補正方法】変更
【補正の内容】
【００２５】
請求項１４に記載の発明は、複数の機能を実現可能とし、該複数の機能を設定するための操作画面を表示する表示装置を備える画像形成装置の表示制御方法であって、
前記画像形成装置に実行させる機能を設定するための操作ボタンが設けられた第１の操作画面を表示する表示ステップと、
前記複数の機能のうちの１つの設定のために操作ボタンが設けられ、且つ前記第１の操作画面よりも下位層の操作画面を前記表示手段に表示させるための、第１の操作画面からの一連の操作をショートカットするためのショーカットボタンを前記第１の操作画面に表示させるショートカット表示ステップと、
前記ショートカット表示ステップで表示される複数のショートカットボタンの前記第１の操作画面上での表示の優先順位を記憶する記憶ステップと、
前記記憶ステップで記憶された優先順位に基づき、前記複数のショートカットボタンが前記第１の操作画面に表示されるように、前記表示装置を制御する表示制御ステップと、を含むことを特徴とする。
【手続補正７】
【補正対象書類名】明細書
【補正対象項目名】００２８
【補正方法】変更
【補正の内容】
【００２８】
請求項１７に記載の発明は、複数の機能を実現可能とし、該複数の機能を設定するための操作画面を表示する表示装置を備える画像形成装置の表示制御方法であって、
前記複数の機能の各々が属する、機能の種類に応じて分別されたグループを記憶する記憶ステップと、
画像形成装置に実行させる機能を設定するための操作ボタンが設けられた第１の操作画面を前記表示装置に表示する表示ステップと、
前記複数の機能のうちの１つの機能の設定のための操作ボタンが設けられ、且つ前記第１の操作画面よりも下位層の操作画面を前記表示手段に表示させるための、前記第１の操作画面からの一連の操作をショートカットするためのショートカットボタンを前記第１の操作画面に表示させるショートカット表示ステップと、
前記ショートカット表示ステップで表示される複数のショートカットボタンを、前記記憶ステップで記憶された前記複数の機能の各々が属するグループごとに表示領域を分けて前記第１の操作画面に表示するように、前記表示装置を制御する表示制御ステップと、
を含むことを特徴とする。
【手続補正８】
【補正対象書類名】明細書
【補正対象項目名】００３０
【補正方法】変更
【補正の内容】
【００３０】
請求項１９に記載の発明は、画像形成装置の表示制御プログラムであって、複数の機能を実現可能とし、該複数の機能を設定するための操作画面を表示する表示装置を備える画像形成装置の表示制御を行うコンピュータに、
前記画像形成装置に実行させる機能を設定するための操作ボタンが設けられた第１の操作画面を表示する表示機能と、
前記複数の機能のうちの任意の機能である第１の機能を設定するための操作ボタンが設けられ、且つ前記第１の操作画面より下位層の第２の操作画面を前記表示装置に表示させるための、前記第１の操作画面からの一連の操作をショートカットするためのショートカットボタンである登録機能ショートカットボタンを、前記第１の操作画面に表示させる登録機能ショートカット表示機能と、
前記画像形成装置で現在設定されている機能である第２の機能を設定するための操作ボタンが設けられ、且つ前記第１の操作画面より下位層の第３の操作画面を前記表示装置に表示させるための、前記第１の操作画面からの一連の操作をショートカットするためのショートカットボタンである設定機能ショートカットボタンを前記第１の操作画面に表示させる設定機能ショートカット表示機能と、
前記設定機能ショートカット表示機能により前記表示装置へ表示される前記設定機能ショートカットボタンを、前記登録機能ショートカット表示機能により前記表示装置へ表示される前記登録機能ショートカットボタンとは異なる形態で、前記第１の操作画面に表示させるように前記表示装置を制御する表示制御機能と、を実現させることを特徴とする。
【手続補正９】
【補正対象書類名】明細書
【補正対象項目名】００３４
【補正方法】変更
【補正の内容】
【００３４】
請求項２３に記載の発明は、画像形成装置の表示制御プログラムであって、複数の機能を実現可能とし、該複数の機能を設定するための操作画面を表示する表示装置を備える画像形成装置の表示制御を行うコンピュータに、
前記画像形成装置に実行させる機能を設定するための操作ボタンが設けられた第１の操作画面を前記操作画面に表示する表示機能と、
前記複数の機能のうちの１つの設定のために操作ボタンが設けられ、且つ前記第１の操作画面よりも下位層の操作画面を前記表示装置に表示させるための、第１の操作画面からの一連の操作をショートカットするためのショーカットボタンを前記第１の操作画面に表示させるショートカット表示機能と、
前記ショートカット表示機能により表示される複数のショートカットボタンの前記第１の操作画面上での表示の優先順位を記憶する記憶機能と、
前記記憶機能で記憶された優先順位に基づき、前記複数のショートカットボタンが前記第１の操作画面に表示されるように、前記表示手段を制御する表示制御機能と、を実現させることを特徴とする。
【手続補正１０】
【補正対象書類名】明細書
【補正対象項目名】００３７
【補正方法】変更
【補正の内容】
【００３７】
請求項２６に記載の発明は、画像形成装置の表示制御プログラムであって、複数の機能を実現可能とし、該複数の機能を設定するための操作画面を表示する表示装置を備える画像形成装置の表示制御を行うコンピュータに、
前記複数の機能の各々が属する、機能の種類に応じて分別されたグループを記憶する記憶機能と、
画像形成装置に実行させる機能を設定するための操作ボタンが設けられた第１の操作画面を前記表示装置に表示する表示機能と、
前記複数の機能のうちの１つの機能の設定のための操作ボタンが設けられ、且つ前記第１の操作画面よりも下位層の操作画面を前記表示手段に表示させるための、前記第１の操作画面からの一連の操作をショートカットするためのショートカットボタンを前記第１の操作画面に表示させるショートカット表示機能と、
前記ショートカット表示機能により表示される複数のショートカットボタンを、前記記憶機能で記憶した前記複数の機能の各々が属するグループごとに表示領域を分けて前記第１の操作画面に表示するように、前記表示装置を制御する表示制御機能と、を実現させることを特徴とする。
【手続補正１１】
【補正対象書類名】明細書
【補正対象項目名】００４３
【補正方法】変更
【補正の内容】
【００４３】
請求項５、１４又は２３に記載の発明によれば、ショートカット表示手段により表示される複数のショートカットボタンを第１の操作画面上で表示する優先順位を記憶し、この優先順位に基づいて操作画面上でショートカットボタンが表示されるため、表示順を基準として複数のショートカットを区別することができ、各ショートカットボタンを混同することなく対応する操作画面に切り替えることができる。また、ショートカットボタンの操作性が向上し、ユーザの利便性をより高めることができるという効果がある。
【手続補正１２】
【補正対象書類名】明細書
【補正対象項目名】００４４
【補正方法】変更
【補正の内容】
【００４４】
請求項６、１５又は２４に記載の発明によれば、ショートカット表示手段により表示される複数のショートカットボタンを第１の操作画面上で表示する優先順位を記憶し、この優先順位に基づいて第１の操作画面上の上位位置から優先順位順に前記複数のショートカットボタンが表示させるため、表示の方向及び表示順を基準として複数のショートカットを区別することができ、各ショートカットボタンを混同することなく対応する操作画面に切り替えることができる。また、ショートカットボタンの操作性が更に向上し、ユーザの利便性をより一層高めることができるという効果がある。